(57)【要約】データ例外を特定するシステム及び方法を開示する。幾つかの実施例において、データは所定の期間に亘って監視され、当該データに関連する統計量が生成され、当該統計量が閾値を越えるか否かが判定される。幾つかの実施例において、監視ステップは、所定の期間に亘って、製品のコスト、又は製品の売上高を監視するステップを含む。幾つかの実施例において、データにおける異常値、データにおける方向傾向又はデータのばらつきに関する統計量を生成することができる。
2010508587.tif 000002
【特許請求の範囲】
【請求項１】
１つ以上の組の市場データにおけるアノマリーを特定する方法であって、
前記１つ以上の組の市場データを所定の期間に亘って監視するステップと、
前記１つ以上の組の市場データに関連する１つ以上の統計量を生成するステップと、
前記１つ以上の統計量が１つ以上の対応する閾値を越えるか否かを判定して１つ以上の統計的例外を形成するステップと、
前記１つ以上の統計的例外に優先順位付けするステップと、
を含むことを特徴とする方法。
【請求項２】
前記監視するステップが前記期間に亘って製品のコストを監視するステップを含むことを特徴とする、請求項１に記載の方法。
【請求項３】
前記監視するステップが前記期間に亘って製品の販売量を監視するステップを含むことを特徴とする、請求項１に記載の方法。
【請求項４】
前記１つ以上の統計量を生成するステップが前記市場データにおける異常値に関する１つ以上の統計量を生成するステップを含むことを特徴とする、請求項１に記載の方法。
【請求項５】
前記１つ以上の統計量を生成するステップが、前記市場データにおける方向傾向に関する１つ以上の統計量を生成するステップを含むことを特徴とする、請求項１に記載の方法。
【請求項６】
前記１つ以上の統計量を生成するステップが、前記市場データのばらつきに関する統計量を生成するステップを含むことを特徴とする、請求項１に記載の方法。
【請求項７】
前記１つ以上の統計量が１つ以上の対応する閾値を越えるか否かを判定するステップが通知を生成するステップを含むことを特徴とする、請求項１に記載の方法。
【請求項８】
１つ以上の組の市場データにおけるアノマリーを特定するシステムであって、
１つ以上の組の市場データに関するデータを記憶するデータ記憶装置と、
所定の期間に亘って１つ以上の組の市場データを監視して前記１つ以上の市場データに関連する１つ以上の統計量を生成し、前記１つ以上の統計量が１つ以上の対応する閾値を越えるか否かを判定して１つ以上の統計的例外を形成し、前記１つ以上の統計的例外に優先順位を付けるように構成設定されているプロセッサと、
を具えることを特徴とするシステム。
【請求項９】
前記プロセッサが所定の期間に亘って製品のコストを監視するように構成設定されていることを特徴とする、請求項８に記載のシステム。
【請求項１０】
前記プロセッサが所定の期間に亘って製品の販売量を監視するように構成設定されていることを特徴とする、請求項８に記載のシステム。
【請求項１１】
前記プロセッサが前記市場データにおける異常値に関する１つ以上の統計量を生成するように構成設定されていることを特徴とする、請求項８に記載のシステム。
【請求項１２】
前記プロセッサが前記市場データにおける方向傾向に関する１つ以上の統計量を生成するように構成設定されていることを特徴とする、請求項８に記載のシステム。
【請求項１３】
前記プロセッサが前記市場データのばらつきに関する統計量を生成するように構成設定されていることを特徴とする、請求項８に記載のシステム。
【請求項１４】
前記プロセッサが１つ以上の通知を提供するように構成設定されていることを特徴とする請求項８に記載のシステム。
【発明の詳細な説明】
【技術分野】
【０００１】
関連出願
本願は、２００６年１０月２５日に出願された“Ｃｌｉｅｎｔ  Ｖｉｅｗ  Ｅｘｃｅｐｔｉｏｎ  ａｎｄ  Ａｎａｌｙｓｉｓ  Ｔｏｏｌ  ａｎｄ  Ｍｅｔｈｏｄｏｌｏｇｙ”と題する米国仮出願第６０／８５４，２４１に対する優先権を主張する。
【０００２】
本出願は、市場データにおけるアノマリーを検出するシステム及び方法に関するものである。
【０００３】
市場データは、複数の異なるタイプのデータを使用して測定することができる。例えば、市場データは、製品単位当たりの平均コストにより、又は全売上高により、又は調合薬の場合には、既定の製品に対して与えられた処方箋の総数により測定できる。これらは、所定の製品の市場データを測定できる多くの方法の中のごく僅かの例である。しかし、全てのタイプの市場データが実際の市場の実態を正確に反映するわけではない。例えば、調合薬の場合に、発行された処方箋の総数は、その薬が投与される方法のために、その薬に対する需要の増減を正確には反映できない。この状況は、提供者及び／又は購入者が市場データに基づいて、購入する特定の薬の量についてビジネス決定をする場合に、深刻な問題を提起する可能性がある。従って、市場データにおけるアノマリー、即ち、異なるタイプの市場データが同じように正確に市場の実態を反映しない状況、を検出する方法に対するニーズが存在する。
【発明の概要】
【０００４】
市場データにおけるアノマリーを検出するシステム及び方法がここに開示されている。
【０００５】
幾つかの実施例において、市場データの１つ以上の組におけるアノマリーを検出する方法が開示され、当該検出方法は、所定の期間に亘って前記１つ以上の組の市場データを監視するステップと、前記１つ以上の組の市場データに関する１つ以上の統計量を生成するステップと、前記１つ以上の統計量が１つ以上の対応する閾値を越えるか否かを判定して１つ以上の統計的例外を生成するステップと、前記１つ以上の統計的例外に優先順位を付けるステップとを含む。
【０００６】
幾つかの実施例において、前記監視するステップは、前記所定の期間に亘って所定の製品のコストを監視するステップを含む。幾つかの実施例において、前記監視するステップは、前記所定の期間に亘って所定の製品の売上高を監視するステップを含む。幾つかの実施例において、前記１つ以上の統計量を生成するステップは、データ中の異常値に関する１つ以上の統計量を生成するステップを含む。幾つかの実施例において、前記１つ以上の統計量を生成するステップは、データにおける方向傾向に関する１つ以上の統計量を生成するステップを含む。幾つかの実施例において、前記１つ以上の統計量を生成するステップは、データのばらつきに関する統計量を生成するステップを含む。
【０００７】
幾つかの実施例において、１つ以上の組の市場データにおけるアノマリーを特定するシステムが開示され、このシステムは、１つ以上の組の市場データに関するデータを記憶するデータ記憶装置と、所定の期間に亘って１つ以上の組の市場データを監視し、前記１つ以上の組の市場データに関する１つ以上の統計量を生成し、前記１つ以上の統計量が１つ以上の対応する閾値を越えるか否かを判定して１つ以上の統計的例外を生成し、前記１つ以上の統計的例外の優先順位を付けるように構成され設定されたプロセッサとを具える。
【０００８】
幾つかの実施例において、前記プロセッサは、所定の期間に亘って所定の製品のコストを監視するように構成設定されている。幾つかの実施例において、前記プロセッサは、所定の期間に亘って所定の製品の売上高を監視するように構成設定されている。幾つかの実施例において、前記プロセッサは、前記データにおける異常値に関する１つ以上の統計量を生成するように構成設定されている。幾つかの実施例において、前記プロセッサは前記データにおける動向に関する１つ以上の統計量を生成するように構成設定されている。幾つかの実施例において、前記プロセッサは、前記データのばらつきに関する統計量を生成するように構成設定されている。幾つかの実施例において、前記プロセッサは１つ以上の通知を提供するように構成設定されている。
【０００９】
添付の図面は、本明細書に組み込まれ本明細書の一部を構成し、本発明の幾つかの実施例を示している。
【図面の簡単な説明】
【００１０】
【図１】図１は、本発明の一実施例による概略図を示している。
【図２】図２は、本発明の一実施例によるフローチャートを示している。
【図３】図３は、本発明の一実施例による依存関係を示すフローチャートである。
【図４】図４は、本発明の一実施例による構成要素階層モデルを示している。
【図５】図５は、本発明の一実施例によるフローチャートを示している。
【図６】図６は、本発明の一実施例による統計分析のために使用されるグラフを示している。
【図７】図７は、本発明の一実施例による統計分析のために使用されるグラフを示している。
【発明を実施するための形態】
【００１１】
以下の実施例は、全て薬剤データの使用に関して説明されている。しかし、本発明により如何なるタイプのデータも使用できることが想定されている。
【００１２】
図１は、本発明による市場データにおけるアノマリーを検出するシステム１００の代表的な実施例である。システム１００は、データを収集して保存するためのサーバ１０１を含む。代表的な実施例において、サーバ１０１は、ＵＮＩＸ（登録商標）サーバとすることができる。サーバ１０１上にデータベースシステム１０２が存在し、代表的な実施例においては、これは市場データを収集して記憶するために、汎用データ収集（ＵＤＡ）及び汎用データベース（ＵＤＢ）を含むことができる。データベースシステム１０２は、プロセス１０３を実行してデータベースシステム１０２からデータを抽出し変換した抽出変換ファイルセット１０４を生成する。代表的な実施例において、プロセス１０３は製品例外及び分析ツール（ＰＥＡＴ）の使用からなり、データベースからデータを抽出し、該データを１つ以上の兆候、例えば、所定の期間に亘って所定の供給者により処方された所定の薬の全ての処方箋を集計することのよって変換し、該データをサーバのデータ転送可能部分にロードする（このプロセスは抽出、変換及びローディング又はＥＴＬという）。サーバ１０１は、第２のサーバ１０５に接続されており、代表的な実施例において、それはＮＴ（登録商標）サーバである。代表的な実施例において、サーバ１０１は、（図１において矢印Ｆにより示されているように）ファイル転送プロトコル（ＦＴＰ）により抽出されたファイルセット１０４をサーバ１０５に転送する。
【００１３】
サーバ１０５上で、サーバ１０１から受信されたデータファイル１０６は、プロセス１０７に通され、代表的な実施例においては、このプロセスはデータをデータベース１０８にロードするために、ＳＱＬ（Ｓｔｒｕｃｔｕｒｅ  Ｑｕｅｒｙ  Ｌａｎｇｕａｇｅ）ローダプロセスとすることができる。代表的な実施例において、データベース１０８は、ＰＥＡＴデータマート、即ち、ＳＱＬサーバ上で動作する製品例外及び分析ツール（ＰＥＡＴ）を使用して抽出され、変換されロードされた（ＥＴＬ）データを含むデータベースとすることができ、１３ヶ月周期のデータを含む。ＰＥＡＴデータマート１０８は、プロセッサシステム１１３に直接接続され、代表的な実施例においては、ビジネス目的のために様々なデータタイプを分析するためのプログラムを実行するコンピュータシステムである。代表的な実施例において、このプログラムは、統計分析ソフトウェアプログラムを用いて生成された特注設計のビジネス・インテリジェンス・ツール・スイート、例えば、ＳＡＳ／ＱＣ，ＳＡＳ／Ｂａｓｅ，及びＳＡＳ／ＯＤＢＣソフトウェアモジュールを使用するＳＡＳ（登録商標）プログラムとすることができる。更なるデータ分析のために、監査チーム１１５は、コンピュータシステム１１３にアクセスすることもできる。ＰＥＡＴデータマート１０８に含まれるデータは、他のプロセス１０９に通すこともでき、このプロセスは、代表的な実施例においては、データを１つ以上の索引に関して要約する、例えば、特定の供給者により処方された全処方箋を集計し、データをデータベース１１０にロードする、ＳＱＬプロセスとすることができる。代表的な実施例において、データベース１１０は、要約データマート、即ち、ＳＱＬサーバ上で動作する、１つ以上の索引に関して要約されたデータを含むデータベースとすることができる。要約データマート１１０は、更に、データベース１１２に接続され、このデータベースは、代表的な実施例においては、スコアリングデータマート、即ち、ＳＱＬサーバ上で動作する、統計的な例外に対して分析されたデータ、即ち、“スコア”データを含むデータベースである。要約データマート１１０は、処理１１１を介してスコアリングデータマート１１２に接続され、これは、代表的な実施例において、スコアリングエンジン、即ち、様々なデータに対して統計量、又は“スコア”を生成し、スコアが対応する閾値を越えるか否かを判定し、越える場合には統計的例外を形成してその例外の順位付けをするプロセス又はプログラムである。代表的な実施例において、スコアリングエンジン１１１は、コンピュータ１１３上で動作するビジネス・インテリジェンス・ツール・スイートの一部とすることができる。スコアリングエンジン１１１により生成されるスコアは、次にスコアリングデータマート１１２上に記憶される。スコアリングデータマート１１２は、更にコンピュータシステム１１３に接続され、このシステムは、代表的な実施例においては、監査チーム１１５がスコアリングデータマート１１２上に含まれる情報にアクセスできるように作用する。
【００１４】
監査チーム１１５は、データベース１１４にアクセスすることもでき、このデータベースは、代表的な実施例においては、更なるデータ分析のためにコンピュータシステム１１３又は別のプロセッサシステムのいずれかを介して、ＳＱＬサーバ上で動作する別のスコアリングデータマートである。図１は、要約データマート１１０とコンピュータシステム１１３との間の直接回線は示していないが、本発明は、コンピュータシステム１１３がシステム１００の全ての要素に直接アクセスできることを想定していることに更に注意されたい。更に、監査チーム１１５は、データベース１１６にアクセスし、代表的な実施例においては、“学習教訓”、即ち、過去の分析から学んだ改善を記憶するためのナレッジデータベースであり、コンピュータシステム１１３及びＰＥＡＴデータマート１０８に更に接続することができる。
【００１５】
図２は、本発明による市場データにおけるアノマリーを検出する方法の代表的なフローチャート２００である。第１のステップ２１０にて、ＵＤＢ及びＵＤＡがロードする。次に、ステップ２１２にて、ＵＤＡデータベース及びＵＤＢデータベースに含まれるデータが処理され、データウェアハウス（例えば、図１におけるＰＥＡＴデータマート）１０８にロードされ、代表的な実施例においては、この処理は、データベースからデータを抽出するステップと、１つ以上のカテゴリに亘って、例えば製品又は製品供給者ごとに、得られたデータを集計する、即ちデータを変換するステップとを含むことができる。次に、ステップ２１４にて、データは１つ以上の関連する索引に関して（例えば、製品又は処方プランごとに）要約され、要約データマート１１０に転送される。次に、ステップ２１６にて、スコアリングモデル（エンジン）１１１が要約されたデータに適用され、様々なデータに対して統計量、又は“スコア”を生成し、得られたスコアが対応する閾値を越えるか否かを判定し、越える場合には統計的な例外を形成し、その例外の優先順位を付けるサブステップからなる。代表的な実施例において、スコアリングエンジン１１１は、コンピュータシステム１１３上で動作するビジネス・インテリジェンス・ツール・スイートの一部として適用することができる。次に、ステップ２１８にて、スコアデータはスコアリングデータマート１１２に記憶される。次に、ステップ２２０にて、コンピュータシステム１１３は、スコアリングモデルの適用の結果を分析し、利用者が見ることができる結果の通知を生成する。代表的な実施例において、この分析（２２０）及び通知は、ビジネス・インテリジェンス・ツール・スイートの一部により実行することができる。ステップ２２２にて、この分析に基づいて、監査チーム１１５は、システムの調整、変化のマトリックスの編集及び市場傾向の文書化などの様々なデータ監査サービスを適用することができる。更に、ステップ２２４にて、監査チーム１１５は、新たに収集した情報を、分析からの“学習教訓”を含むことができるナレッジデータベース１１６に入力することができ、ステップ２２６にて市場の早期指標を入力するために、更にデータウェアハウス１０８に接続される。このように、情報ループが形成され、データ分析の結果をシステムの前部に戻すことができ、分析を更に洗練させることができる。
【００１６】
図３は、本発明による市場データにおけるアノマリーを検出する方法のステップに対する依存関係を示す代表的なフローチャート３００である。市場の早期指標の入力（ステップ３３２）は、（図１に示す）ナレッジデータベース１１６の更新（ステップ３３０）に依存し、その更新は次に１つ以上の様々なデータ監査サービス（例えば、システムの調整（ステップ３２４）、マトリックス変化の編集（ステップ３２６）、及びマーケット傾向の文書化（ステップ３２８））の適用に依存する。１つ以上のデータ監査サービス（ステップ３２４，３２６及び３２８）の適用（ステップ３２０）は、スコアリングモデル（エンジン）１１１の適用の結果の監査チーム１１５の分析（ステップ３２２）、及び統計的な例外の特定（生成）（ステップ３２０）に依存し、これは次に、（製品及び／又はプランごとの）様々なデータの要約（ステップ３１８）に依存する。このステップは、ＵＤＡ及びＵＤＢからのデータの抽出、変換、及びローディング（ステップ３１６）に依存し、これは次に、ＵＤＢのローディング（ステップ３１０）及びＵＤＡへのデータの供給及びローディング（ステップ３１２）に依存し、これらのデータベースに含まれるデータの認証（ステップ３１４）に依存させることもできる。
【００１７】
図４は、本発明による市場データにおけるアノマリーを検出する方法に対する構成要素階層モデル４００を示している。ＵＤＡ４０３は、ＵＤＡ安全管理４０１の要素を有し、この要素はどの利用者がＵＤＡ４０３にアクセスするかを特定するために使用することができる。ＵＤＡ４０３は、時間的に最初から最後までの階層順に、例えば、データ供給者から生データを受信するデータ受信（４１２）要素、例えば一貫した測定単位で測定されるようにデータを変更するデータの再フォーマット化（４１０）要素、医療保険の携行性と責任に関する法律（ＨＩＰＡＡ）との整合性のためにデータを検査する要素（４０８）、再フォーマットされたデータを所定のトレランスに対して検査し、間違った統計的例外を生じないようにデータを編集する要素（４０６）、個々の商店を監視して１つ以上のカテゴリにおいてある商店が他の商店になりすましているかいないかを特定する要素（４０４）、変更されたデータをＵＤＡ４０３にロードする要素（４０２）を更に有する。ＵＤＡ４０３及び例外ツール４０５（即ち、システム１００の残り）は、データマート１０８への抽出及びＵＤＢ履歴４１７（即ち、ＵＤＢに記憶されたデータ）のローディングの要素を共有する。代表的な実施例は、データマートへの抽出（４１６）の要素は、ＵＤＡ及びＵＤＢデータの抽出を含むことを想定している。
【００１８】
例外ツール４０５は、製品及び／又はプランの要約（４１８）、スコアリングモデル（エンジン）の適用（４２０）、統計的な例外の特定（４２１）、及びデータ監査チームによる例外の再検討（４２２）の要素からなる。例外ツール４０５は、更に、例外処理４２３、システム１００の調整（４２４）、変化のマトリックス編集（４２６）、及びマーケット傾向の文書化（４２８）の要素を有する。例外ツール４０５は、更に、知識データベース１１６の更新、市場傾向の早期指標の入力（４３２）の要素も有する。
【００１９】
ここで、代表的な実施例として、図５に示すスコアリングモデルの適用方法を詳細に説明する。この、又は別の実施例において、スコアリング処理と、例外生成と、ＵＤＡデータ及び／又はＵＤＢデータの分析は、以下の技術の１つ以上を利用して実行することができる。
【００２０】
一実施例によれば、まずステップ５１０にて、１つ以上のデータタイプを監視、例えば、ステップ５１２にて週間単位平均コスト高（即ち、週ごとに測定される製品の所定単位の平均コスト）、及び／又はステップ５１４にて処方箋量（即ち、例えば１週間などの既定の期間に処方された処方箋の総数）を監視する。また、同一の又は別の実施例によれば、このような監視を、１つ以上のカテゴリのデータ、例えば、特定の製品供給者に対する１つのデータタイプの全てのデータについて実行することができる。更に、同一又は別の実施例によれば、このように監視されたデータを１つ以上のデータベース、例えばＵＤＡ及び／又はＵＤＢデータベースに記憶することができる。更に、同一又は別の実施例によれば、プロセッサシステム、例えばコンピュータシステム１１３を使用して、既定の期間に亘って既定のデータタイプを監視してデータが特定の傾向を示しているか否かを判定することができる。いくつかのデータタイプは生データを直接収集して監視できるが、他のデータタイプの監視には、１つ以上のタイプの生データに対して１つ以上計算を実行する必要がある。２つのデータタイプを監視する例を以下に説明する。
【００２１】
一実施例によれば、処方箋量の監視をステップ５１２にて実行できる。週間単位平均コスト高のデータタイプは、例えば１週間などの所定の期間に亘って測定されたアウトレットコスト高（即ち、薬を購入する商店（供給者）に対するコスト）の合計を処方された処方箋の和によって除算したものと定義できる。同一又は別の実施例において、週間単位平均コスト高を、特定のデータカテゴリに関して、例えば、特定の製品（例えば、特定の薬）に対する週間単位平均コスト高を集計することができる。同一又は他の実施例において、標準的な数学公式を既定の期間に亘って測定されたデータ適用することにより平均値を計算でき、例えば、ここでは週間単位平均コスト高を計算することができる。
【００２２】
一実施例によれば、ステップ５１４にて処方箋量のデータ監視を実行できる。処方箋量のデータタイプは、例えば１週間に１回などの既定の期間に亘って処方された全処方箋量と定義することができる。同一又は別の実施例において、この値を特定のデータカテゴリ全体、例えば特定の製品供給者に対する全処方箋量データを集計することができる。同一又は他の実施例において、既定の期間に測定されたデータに標準的な数学公式を適用することにより平均値を計算することができ、例えばここでは処方箋量の平均値を測定できる。
【００２３】
第２に、一実施例によれば、ステップ５２０にて、プロセッサシステム１１３、例えばコンピュータシステム上で動作するプログラム、例えば、統計的分析ソフトウェアプログラム（例えば、ＳＡＳ／ＱＣ、ＳＡＳ／Ｂａｓｅ、及びＳＡＳ／ＯＤＢＣソフトウェアモジュールを使用するＳＡＳ（登録商標）プログラム）を使用して形成されたビジネス・インテリジェンス・ツール・スイートを使用し、上述の監視されたデータに関する統計量、即ち“スコア”を生成することができる。同一又は他の実施例によれば、ステップ５２２にてデータにおける上昇又は下降スパイクについて、ステップ５２４にてデータにおける上昇又は下降傾向について、及び／又はステップ５２６にてデータのばらつきについて、このような統計量（スコア）を生成することができる。
【００２４】
代表的な実施例による、関連する統計量、即ちスコアデータを生成する方法をここで説明する。一実施例において、データ中の上昇又は下降スパイクを特定するステップ（ステップ５２２）は、例えば最近２週間のデータ、などの分析期間を特定するステップを含むことができる。本方法における次の段階は、平均値からの統計的距離を計算するステップを含む。所定の期間に亘る平均値からの統計的距離の差、例えば、今週と先週との間の差が、或る既定の閾値よりも大きな場合には、例外を生成することができる。
【００２５】
代表的な実施例によれば、この方法の使用の一例が以下に示されるが、これは単に説明目的のために提供されるものである。製品Ａに対して、処方箋量平均は１０００、平均値からの標準偏差は３０であり、双方とも最近の１６週のデータ、平均値及び標準偏差をそれぞれ計算するための標準的な公式を使用して計算されたものである。今週については、製品Ａに対する週間処方箋量は１３００である。先週については、製品Ａに対する週間処方箋量１１００であった。この例では、既定の閾値は６．０である。第１のステップは、製品Ａに対する各週間処方箋量に対する平均値からの統計的距離を計算するステップである。平均値からの統計的距離を計算するための式は式（１）で与えられる。
平均値からの統計的距離＝（週間処方箋量−処方箋量平均）／標準偏差      （１）
今週の平均値からの統計的距離は、即ち、この例については、（１３００−１０００）／３０＝１０．０と計算される。先週の平均値からの統計的距離は、この例については、（１１００−１０００）／３０＝３．３３となる。次のステップは、今週及び先週の平均値からの距離の間の差が、例えば６．０などの所定の閾値の絶対値よりも大きいか否かを判定するステップである。この分析により、６．０以上の値の差は、所定の閾値の値の選択に基づいてスパイクと見なされる。今回の場合、今週及び先週の統計的距離は、即ち、（１０．０−３．３３）＝６．６７と計算される。従って、例外が生成され、例えばスパイク値が申告される。
【００２６】
一実施例によれば、ステップ５２４での上昇又は下降傾向の特定は、所定の数の連続的なデータ点に亘って測定された特定のデータタイプが上昇又は下降傾向を示しているか否かを決定するステップを含むことができる。代表的な実施例によれば、上昇又は下降傾向のいずれかを示す６つの連続データ点は、例外の許容をもたらすのに十分であると考えることができる。上昇又は下降傾向は、６つの連続データ点によって示すことができ、各々が前のデータ点より高いか、又は、各々が前のデータ点よりも低い６つの連続データ点である。図６は、特定の製品、例えば製品Ａに対する全処方箋数（ＴＲＸ−ＣＮＴとラベルされているＹ軸）の下降傾向のグラフの例を示している。１６のデータ点が示されており、１６週間に亘る１週間当たりの全処方箋量であり、６つの連続データ点の下降傾向が見られる。傾向を更に明白にするために、図６に（代表的な値６７５６を有する）線Ｘで示すように、このようなグラフに平均値線を追加することができる。このような典型的な状況が発生した場合、一実施例によれば、以下に説明するように例外を生成することができる。
【００２７】
同一又は別の実施例において、上昇又は下降傾向の特定は、他のデータ点が既定の限界値内にある間に、１つ以上のデータ点が既定の限界値より上又は下にあるか判定するステップを含むことができる。代表的な一実施例において、データ点が平均値の標準偏差の３倍を超えた場合、傾向は例外の生成をもたらすのに十分と見なすことができる。図７は、他のデータ点が既定の限界値内にある間、幾つかのデータ点が既定の限界値より上又は下にある場合のグラフの例を示している。図７において、ｙ軸は、（ＵＮＩＴ＿ＡＶＧ＿ＣＯＳＴ＿ＡＭＴでラベルされた）週間単位平均コスト高である。既定の限界値は、それぞれ点線ＵＣＬ（１１９の代表的な値を有する上限値）及び点線ＬＣＬ（１０９の代表的な値を有する下限値）で表されている。傾向を更に明白にするために、図７に（１１４の代表的な値を有する）線Ｘで示すように、平均値線をこのようなグラフに追加することができる。１６週間に亘り１週間につき１つずつ、１６のデータ点が示され、２つのデータ点が明らかに平均の標準偏差の３倍の既定の限界値の外にあることが示されている。このような典型的な状況が発生した場合、一実施例によれば、例外が生成される。
【００２８】
一実施例によれば、ステップ５２６にてデータのばらつきを特定するステップは、１つ以上のデータタイプ、例えば単位平均コスト高及び処方箋量データのばらつきを測定するステップを含むことができる。次の段階は、データの平均値からの標準偏差に対するデータのばらつき比が既定の閾値よりも大きいか否かを計算するステップを含むことができる。その結果、例外を生成することができる。同一の又は別の実施例によれば、データを特定のデータカテゴリ、例えば、特定の製品供給者に関連するデータに関連付けることができる。
【００２９】
代表的な実施例におけるこの方法の使用の一例が以下に示されるが、これは単に説明のために使用する。製品Ａに対して、処方箋量平均は１０００、標準偏差は３０であり、双方とも最近の１６週のデータ及び平均及び標準偏差をそれぞれ計算するための標準公式を使用して計算されたものである。この例において、既定の閾値は０．１である。製品Ａのばらつき比を以下の（２）式を使用して計算することができる。
ばらつき比＝（標準偏差／処方箋量平均）      （２）
従って、製品Ａに対して、ばらつき比は、３０／１０００＝０．０３となる。ここで、ばらつき比は０．１０と計算されるため、一実施例によれば、例外は生成されない。
【００３０】
第３に、一実施例によれば、ステップ５３０にて、データ管理者が品質及び市場展望から最も重要である例外に対処するために開発した基準に基づいて、統計的例外の優先順位を付ける。本実施例による例外の優先順位を付ける方法をここで説明する。代表的な実施例によれば、特定の製品に関連するデータカテゴリは最高の優先順位又はランクを有し、その後に特定の製品供給者に関連するデータカテゴリが続く。優先順位を付けられた例外はデータベースに記憶、又はモニター上で可視できる出力、又は印刷された出力として提供することができる。ここで説明するステップの各々は、上述のステップを実行するようにプログラムされたプロセッサを有する１つ以上のコンピュータで実行することができる。
【００３１】
同一又は別の実施例によれば、それぞれの製品及び製品供給者のカテゴリは、以下の順序で優先付けすることができる。即ち、第１に、ステップ５３２にて、上昇又は下降スパイクによる例外は、最高の優先度を割り当て、例えば、最大のスパイク値に順位値１を割り当て、次に大きなスパイク値に順位値２を割り当てる、などとすることができる。第２に、ステップ５３４にて、上昇又は下降傾向による例外は、次に高い優先度、例えば、最高に順位付けされた最高パーセント変化を最低に順位付けされたスパイク値の順位値よりも小さな順位値を割り当てることができる。第３に、ばらつきによる例外は、ステップ５３６にて、次に高い優先度、例えば最高のばらつき比を最低に順位付けされた傾向値の順位値よりも小さな順位値に割り当てることができる。ここで説明した優先度は、例えばデータを分析する利用者の要求に基づいて変更することができる。
【００３２】
第４に、一実施例によれば、ステップ５４０にて、各生成された例外に対応する通知を生成することができる。同一又は他の実施例において、通知は、１組の例外の通知であり、更に、これらの例外に割り当てられた優先度の利用者に通知することができる。同一又は他の実施例において、通知を最高の優先例外、例えば閾値を２回越えたスパイクに対してのみ生成することができる。幾つかの実施例において、この発明の利用者は、その通知を見ることができる。幾つかの実施例において、利用者は通知を聞くことができる。幾つかの実施例においては、通知をデータファイルに格納することができる。
【００３３】
一実施例によれば、１つ以上のデータベース、例えばＵＤＡデータベース及びＵＤＢデータベースに関して、定期的に通知を生成することができる。例えば、一実施例において、特定時、例えば毎週日曜日の夜に、プログラム、例えばビジネス・インテリジェンス・ツール・スイートプログラムを実行する処理システム１１３は、複数週、例えば最近の１６週分のデータをロードすることができる。同一又は別の実施例において、このようなデータは１つ以上のデータカテゴリ、例えば、製品供給者データに含まれるものとすることができ、１つ以上のデータタイプ、例えば、単位平均コスト高及び処方箋量データとすることができる。更に、同一又は他の実施例において、処理システム１１３は、１つ以上のデータタイプ、例えば、単位平均コスト高及び処方箋（Ｒｘ）量データに対する例外を生成することができる。次にこのデータを、プログラム、例えばビジネス・インテリジェンス・ツール・スイートプログラムを実行する処理システム１１３が使用し、本発明の利用者が見ることができる例外の通知を生成することができる。通知はデータベースに記憶するか、又はモニター上で可視できる出力又は印刷された出力として提供することができる。
【００３４】
以下の段落は、本発明の１つ以上の実施例に存在しうる更なる改良及び変更について説明しており、単に本発明の多様性を説明することを意図するものである。
【００３５】
代表的な実施例によれば、ＵＤＡは、生データのみを含むことができ、更に、１３週分の処方箋履歴に制限することができる。ＵＤＡは、ＵＤＢに市場データを入力し、ＵＤＢは生の推定及び予測される市場データを含むことができ、２４ヶ月分の市場データ履歴を記憶することができる。
【００３６】
プログラム、例えばビジネス・インテリジェンス・ツール・スイートプログラムを実行する処理システム１１３は、様々なデータタイプに対するスコアの分析を実行し、範囲外の統計的データ値を特定する能力を有することができる。一実施例において、コンピュータシステム１１３は、利用者のためにこのような範囲外のデータ値の優先順位を付けることができる。同一又は別の実施例において、利用者は、全ての統計的例外をデータベースからチャネル及び供給者レベルまでドリルダウン（即ち、分析するデータの範囲を狭める）能力を有することができる。更に、同一又は別の実施例において、利用者は、市場データを地域的に見る能力を有することができる。更に、同一又は別の実施例において、利用者は、データが存在するかぎり遡って監視市場データの履歴を見ることができる。
【００３７】
代表的な実施例によれば、製品の利用者は、役割及び責任に関して、データ品質及び市場傾向を管理及び／又は監視する責任を有するデータ管理者となることができる。同一又は別の実施例によれば、本発明の利用者は、図１に示すようにデータ監査チーム１１５の一員となることができる。更に、同一又は別の実施例によれば、データ管理役員が本発明を使用して、市場の現状に関する市場データの品質を決定することができ、主要な顧客が市場傾向の変化を予測し、製品及び／又は製造者に対する市場シェアを検証し、適切な品質指標及び／又は市場傾向の指標を特定しなければならないときに、先を見越した通知を提供することができる。
【００３８】
本発明の同一又は他の実施例において、データ監査チーム１１５は、本発明を使用して、製品の市場データが、量、コスト、価格、及び品質に関して矛盾のない傾向を示しているか否か、製品に関するプランが量及び単位販売の点から矛盾のない傾向を示しているか否か、所定の処方箋に認められるコストは市場の基準点、例えば平均卸売価格又は平均小売価格と同程度か否か、特定の供給者、チャネル、商店などに関して市場傾向の変化又は矛盾がないか、及び市場傾向の変化又は矛盾が処方箋、プラン、及び／又は製品に与える影響を追跡することができる。本システムは、数量編集理由コード（即ち、単位を変換する理由に対応するコード）に基づく数量変換（即ち、全ての市場データの同一の単位への変換）の数、パーセント及び型に関する統計を更に提供することができる。更に、全ての統計的例外は測定された全処方箋数に基づくことができるが、利用者は、“良好な”、例えば正しい、処方箋のみを見て、何故“不良な”、例えば、正しくない処方箋データが除外されているかの分析を実行するオプションを依然として持つことができる。
【００３９】
本システム又は本方法の一実施例に対するデータソースは、外部のソース又は既存のシステムデータソースとすることができる。概念的データモデルも使用できることも想定されている。処方箋データは、リテール、メール注文、及び、専売データサービス、例えば次世代処方箋サービス（ＮＧＰＳ）により収集された長期ケアデータを含むことができ、販売データは外部（非専売）手段の使用により収集されたデータ、例えば、卸業者からを含むことができ、国内販売展望（ＮＳＰ）データやＮＳＰに対して使用される生データなどの卸業者から販売業者への販売データを含むことができ、基準情報データは、ＵＤＡデータモデル及び／又はＵＤＢデータモデル及び／又は辞書を含むことができ、投影方法データは、専用手段により生成された投影方法データ、例えばＮＧＰＳ投影方法データを含むことができる。
【００４０】
ここで本システム、又は本方法の一実施例に対する情報送達を説明する。測定に関して、“１単位当たりのコスト”、“１処方箋（Ｒｘ）当たりのコスト”、及び“１日当たりの量”で始まる新たなマトリックスを導入することができる。履歴要件はＵＤＢと同期させることができる。ここで説明した新たなＵＤＡの機能の追加は、現行のデータ分析のための時間に影響を与えない。
【００４１】
同一又は別の実施例によれば、既定のデータベースに提供された詳細レベルは、ＵＤＡ及び／又はＵＤＢにおける既存の詳細レベルに準拠させることができる。時間に関しては、統計的例外は、データの分析のために割り当てられた時間内か時間外かにより特定できる。更に、ここで説明された実施例によれば、地理学的情報は既存のＮＧＰＳ規格に準拠することができる。また、処方者ブリッジングに対する変更はないことが予想される。更に、分配チャネル情報の処理は、既存のＮＧＰＳ規格に準拠することができる。更に、ここで説明された実施例によれば、プラン／支払者ブリッジングに対する変更はないことが予想される。
【００４２】
前述の説明は本発明の原理の説明のみであること、及び、当業者により、本発明の範囲及び精神から離れることなく様々な改良が可能であることが理解されよう。例えば、ここで説明したシステム及び方法は、処方箋データに対する市場傾向に関連して使用される。ここで説明した技術は、傾向又はアノマリーを検出するためのデータに関して有用であることを理解されたい。更に、ここで説明した実施例の態様は、新たな実施例への組み合わせ、及び／又は再構成が可能である。
【図１】
2010508587.tif 000003
【図２】
2010508587.tif 000004
【図３】
2010508587.tif 000005
【図４】
2010508587.tif 000006
【図５】
2010508587.tif 000007
【図６】
2010508587.tif 000008
【図７】
2010508587.tif 000009
【国際調査報告】
2010508587.tif 000010